(57)【要約】【課題】本発明は、寸法安定性が良好で、反りやねじれが発生することが少なく、高強度で、耐久性に優れた階段用踊場部材を提供すること。【解決手段】所定板厚の矩形木片２０を多数積層し相互接合した集成材２からなる階段用踊場部材１であって、前記集成材２は矩形木片の繊維方向が相互交叉するように配列して繊維方向の異方性を付与したものからなり、前記矩形木片の一部又は全部が少なくとも斜め方向に切断され、かつ該斜め方向に切断された切断面を相互接合してなる寄木形状からなることを特徴とする階段用踊場部材１である。【選択図】図１
2004090567.tif 000002
【特許請求の範囲】
【請求項１】
所定板厚の矩形木片を多数積層し相互接合した集成材からなる階段用踊場部材であって、
前記集成材は矩形木片の繊維方向が相互に交叉するように配列して繊維方向の異方性を付与したものからなり、
前記矩形木片の一部又は全部が少なくとも斜め方向に切断され、かつ該斜め方向に切断された切断面を相互に接合してなる寄木形状からなることを特徴とする階段用踊場部材。
【請求項２】
木造建築物の廃材から選別され、かつ樹種、板面積、板厚さ、経時年数別に選別され、リサイクル利用されたものであることを特徴とする請求項１記載の階段用踊場部材。
【請求項３】
集成材は表面側に化粧材を貼着し、裏面側にはバランス用裏打材を貼着してなる化粧張り部材であることを特徴とする階段用踊場部材。
【請求項４】
集成材の主要部がアピトン、ミズナラ、ブナ、ケヤキ、カバ、イタカエデ、シオジ、タモ、ニレから選ばれた１種又は１種以上の広葉樹からなることを特徴とする請求項１記載の階段用踊場部材。
【発明の詳細な説明】
【０００１】
【発明の属する技術分野】
本発明は、寸法安定性が良好で、反りやねじれが発生することが少なく、高強度で、耐久性に優れた階段用踊場部材に関する。
【０００２】
【従来の技術】
階段は、周知の如く上下階の床面をつなぐ通路であり、特に階段は構造材であると共に、一般に室内工事の進行中に施工されるため造作材でもある。
【０００３】
一方、集成材は造作用集成材又は構造用集成材に大別され、これらには表面側に突板などの薄板化粧材を貼着した化粧張り集成材と呼ばれている化粧材が知られている。
【０００４】
そして、最近天然木の乱伐利用による砂漠化が急速に進み、深刻な環境破壊が進行し環境保全等の問題が強く指摘されている。
【０００５】
そのため、最近階段や手すりなどに集成材が積極的に使用されるに至り、その需要は急激に増大しつつある現状である。
【０００６】
【発明が解決しようとする課題】
しかしながら、図１０に示すごとく、上記集成材を階段用踊場部材９として使用すると、次のような問題点があった。
階段用踊場部材９は、踏板８４の板面積に比較して極めて広く、図１１、図１２に示すごとく、そのため矩形木片８の相互の接合面８１で亀裂を生じたり、強度不足による破損又は急な衝撃荷重による破壊を発生する場合がある。
【０００７】
そのため、従来の集成材８を使用した階段用踊場部材９が破損して転倒や転落の原因になり、きわめて危険である。
特に集成材８が図１１及び図１２に示すごとく、矩形木片８の繊維方向が（ｃ）方向に偏向している場合は、上記のごとく、相互の接合面８１の破損や破壊が顕著である。
【０００８】
しかも、挽き板が同一方向に多数積層された集成材８を階段用踊場部材９に使用すると、所定板厚があっても相互の接合面８１における亀裂や破損が生じることが多く、この傾向は造作用集成材或いは構造用集成材のいずれかを集成材８として使用した場合にも同様の問題があった。その原因の一つに集成材８の材質、即ち樹種が針葉樹や広葉樹のいずれかが無作為又は無選別に使用されていたからである。
【０００９】
【課題を解決するための手段】
上記課題を解決するために、本発明が採った手段は、集成材の繊維方向を相互交叉させ、或いは異方性を付与することにより、集成材の強度を向上させると共に、寸法安定性を高め、反りやねじれが生じない階段用踊場部材を提供することを目的とするものである。
【００１０】
請求項１に記載の発明の採った手段は、所定板厚の矩形木片を多数積層し相互接合した集成材からなる階段用踊場部材であって、前記集成材は矩形木片の繊維方向が相互に交叉するように配列して繊維方向の異方性を付与したものからなり、前記矩形木片の一部又は全部が少なくとも斜め方向に切断され、かつ該斜め方向に切断された切断面を相互に接合してなることを特徴としている。これにより、寸法安定性に優れ、反りやねじれの発生が少なく、高強度で耐久性に優れた階段用踊場部材を得ることができる。
【００１１】
また、請求項２に記載の発明の採った手段は、木造建築物の廃材から選別され、かつ樹種、板面積、板厚さ、経時年数別に選別され、リサイクル利用されたものであることを特徴としている。これにより、現時点では余り積極的にリサイクル利用されていない木造建築物の廃材を有効に利用し、資源の循環利用をすることができる。
【００１２】
そして請求項３に記載の発明の採った手段は、集成材は表面側に化粧材を貼着し、裏面側にはバランス用裏打材を貼着してなる化粧張り部材であることを特徴としている。なお、該裏打材はバッカーとも呼ばれるものである。これにより、表面側と裏面側との水分含有量や水分移動のバランスが均等になり、集成材からなる板状物の反りやねじれを発生することが少なくなる。
【００１３】
一方、請求項４に記載の発明の採った手段は、集成材の主要部が、アピトン、ミズナラ、ブナ、ケヤキ、カバ、イタカエデ、シオジ、タモ、ニレの１種又は１種以上から選ばれた広葉樹からなることを特徴としている。
これにより、集成材の矩形木片の表面硬度は向上し、高強度で耐久性に優れた階段用踊場部材を提供することができる。なお、広葉樹は一般に針葉樹に比較して平均で２〜３割程度、表面硬度が向上するため、耐摩耗性も向上する。
【００１４】
そして、広葉樹は針葉樹の矩形木片の多数積層や相互接合からなる集成材に比較して、後述するごとく、気乾比重が大きく、引張強度や圧縮強度、さらには曲げ強度やせん断強度が優れている。
【００１５】
【発明の実施の形態】
本発明の実施の形態を実施例及び図面に基づいて、図面の符号を付して具体的に説明する。
請求項１に記載の発明によれば、所定板厚の矩形木片２を多数積層し相互に接合した集成材からなる階段用踊場部材１を提供することとできるものである。
【００１６】
所定板厚としては、例えば１５〜２５ｍｍ位であることが好ましい。矩形木片２を多数積層、例えば３〜１０枚積層接合することにより得られる。
矩形木片２の大きさは、例えばタテ１５ｍｍ〜５０ｍｍで、ヨコ３０ｍｍ〜１００ｍｍであることが好ましい。
木造建築物の廃材の大半を有効利用することができるからである。
【００１７】
相互接合する方法としては、例えば造作用の集成材２には、尿素樹脂、メラミン樹脂、メラミンユリア強縮合樹脂等を用いて冷圧成形プレスにより積層接合する。
【００１８】
一方、構造用の集成材２には例えば、レゾルシノール樹脂、レゾルシノール・フェノール樹脂、オレフィン・無水マレイン酸樹脂等を用いて冷圧成形プレスにより積層接合する。なお、本発明において使用する集成材２は、構造用の集成材８と造作用の集成材８を兼ねたものであることが好ましいため、前記例示の各種のうちから選ばれた１種又は１種以上の樹脂の接着剤を併用することが好ましい。階段に使用する集成材２は、構造用の集成材８及び造作用の集成材８の両方の性質と、物性を兼ね備えていることが好ましいからである。
【００１９】
前記各接着剤は、例えばスプレッダ等により糊付け塗布後、矩形木片２である挽き板を数枚程度積層したユニットを３０〜１００個位まとめて積み上げ、コールドプレスで圧縮し、ターンバックルのような治具を用いて圧力を保持したまま、５０〜６０℃の養生室で１昼夜保温する。これにより接合が十分となり、集成材２の強度が向上する。
【００２０】
前記集成材２は、矩形木片の繊維方向が相互に交叉するように配列して繊維方向の異方性を付与したものである。
繊維方向は、一般に木目が平行で年輪に直角方向に切断した柾目や板目に平行して存在する樹木の成長方向である。なお、繊維は一般に長い束を形成して木の組織中に存在する。
【００２１】
ここで注目すべきことは、本発明で使用する集成材２は矩形木片２１〜２７が、図４に示すごとく、繊維方向が相互に交叉するように配列されていることである。
これにより、繊維方向の異方性が付与され、集成材２の寸法安定性が優れ、反りやねじれの発生が少なくなる特徴がある。
【００２２】
階段用踊場部材１は、矩形木片の一部又は全部が少なくとも斜め方向に切断され、かつ該斜め方向に切断された切断面を相互接合してなる寄木形状からなる。これにより、木材は一般に繊維方向に伸縮するのであるが、繊維方向が異方性を有する集成材２においては、繊維方向が多方向となるため、特に寸法安定性が優れ、その結果反りやねじれを生じることが少なくなる。
【００２３】
また、階段用踊場部材１は、図５〜図７に示すごとく、各種の形状をした寄木形状（イ）〜（リ）からなる。そのため、矩形木片の繊維方向に余り影響されることなく、多方向に若干伸縮することがある。これにより、一層寸法安定性が向上し、反りやねじれも少なくなる。従って、品質に優れた階段用踊場部材１を得ることができる。
【００２４】
そして、階段用踊場部材１は木造建築物の廃材から選別され、かつ樹種、板面積、板厚さ、経時年数別に選別されたものから矩形木片が挽き板として製造される。そのため、樹種等が同一又は近似の樹種の矩形木片２を使用して集成材２を製造することができる。これにより、品質や材質の均一な階段用踊場部材１を有利に製造することが出来、しかもコストの低減が可能となる。
【００２５】
また階段用踊場部材１に使用される集成材２は、表面側に化粧材を貼着し、裏面側にはバランス用裏打材を貼着してなる化粧張り部材である。
そのため、集成材２の表面側及び裏面側より空気中の水分が集成材２の芯部にまで浸入することが少なくなる。
これにより、階段用踊場部材１は反りやねじれを生じないか、生じても極めてわずかとなり、寸法安定性が一層安定することになる。
【００２６】
そして階段用踊場部材に使用される集成材２は、その主要部が各種の広葉樹からなる。そのため、一般に針葉樹からなる集成材２に比較して、２〜３割位表面硬度が向上し、さらには高強度で耐久性に優れることになる。
【００２７】
なお、前記高強度とは、引張強度、圧縮強度、曲げ強度、せん断強度を総称したものである。また、広葉樹としては、例えば、アピトン、ミズナラ、ブナ、ケヤキ、カバ、イタカエデ、シオジ、タモ、ニレ等の針葉樹に比較して組織が緻密な木材である。
【００２８】
本発明に係る階段用踊場部材１としては、かね折れ階段、折返し階段、回り階段、らせん階段、中断に踊り場を設けた各種の階段に使用される。そして、踏板や蹴込み板も同様の性質の集成材２を使用することができる。
【００２９】
前記集成材２は、中芯層を中心として厚み方向に中芯層を軸として対称に積層され構成されていることが好ましい。これにより、集成材２の寸法安定性が一段と優れたものとなり、反りやねじれが殆んど発生しなくなる。
【００３０】
以下、本発明の好ましい実施例について、図面を用いて具体的に説明する。
（具体例１）
本例の階段用踊場部材１は、図１に示すごとく、矩形木片２１及び矩形木片２２の一部又は全部が斜め方向に切断され、この斜め方向に切断された切断面１１を相互接合して、寄木形状を形状したものである。これにより木の繊維方向が一層多様となる。なお、板厚さは２５ｍｍとした。
【００３１】
前記階段用踊場部材１は、その斜め中央部において接合され、図４に示すごとく、表面側と裏面側との両面において、繊維方向が（ａ）方向の所定板厚の矩形木片２８を多数配列し、その中芯部において繊維方向が（ｂ）方向に多数配列された矩形木片２９を交互に積層して製造した集成材２を使用して構成されたものである。
【００３２】
矩形木片２としては、ブナとナラの広葉樹を主材として使用した。
矩形木片２１、２２の相互を接合するための接着剤としては、レゾルシノール樹脂を用いて、コールドプレスにより多数積層して製造したものである。
【００３３】
そして、前記集成材２の表面全体には透明なウレタン塗料を塗布した化粧張り部材に構成したものである。これにより、耐摩耗性、寸法安定性に優れ、反りやねじれの発生が少なく、高強度で耐久性に優れた階段用踊場部材１を製造することができた。
【００３４】
（実施例２）
本例は、実施例１の寄木形状を、図２に示すごとく、四つ切りの中央寄せの形状としたものである。
また、矩形木片２３、２４、２５、２６は表面側と裏面側を交互に平行に配列し、芯材部の矩形木片２７をこれらと繊維方向が異なる方向に多数配列して製造した集成材２を使用した。その他の構成は、実施例１と同様とした。
【００３５】
（実施例３）
本発明は、実施例１の寄木形状を、図３に示すごとく、放射線状形状としたものである。そして、接合用の接着剤をレゾルシノール樹脂に代えてレゾルシノール・フェノール樹脂を使用した。その他の構成は実施例１と同様とした。
【００３６】
（実施例４）
本例は、図５〜図７に示すごとく、突板又は塩化ビニル樹脂印刷シートを（イ）〜（リ）の各種模様の化粧張り部材３１〜３９を貼着し、その表面側にウレタン樹脂を塗布したものである。
【００３７】
そして、図８の（ヌ）、（ル）、（ヲ）に示すごとく、矩形木片２３、２４、２５、２６、２７のごとく配列したものである。
その他の構成は、実施例１と同様とした。
なお、図９に示すごとく、本発明の集成材２は、前述のごとく、矩形木片２１はその下方に積層する矩形木片２２とは、繊維方向が相互に異なる方向とするものである。
【００３８】
これに代して、従来の単板積層材７１、７２、７３は、繊維方向が同一となるものである。また、図１０〜図１２に示すごとく、従来の集成材８も単板積層材と同様であり、造作用の集成材８１は主として針葉樹が使用されていた。
【００３９】
【発明の効果】
本発明は、請求項１〜請求項４に構成されている。そのため、次のような効果を奏するものである。
【００４０】
請求項１の階段用踊場部材１は、繊維方向が相互交叉状態であるため繊維の伸縮が極めて少なく、寸法安定性に優れ、反りやねじれを発生することが少なく、また広葉樹よりなるため硬度が比較的高く、高強度で耐久性に優れる。そのため、階段用踊場部材１に狂いや伸縮、割れなどが発生しない。これは、繊維方向に伸縮する従来の集成材８の欠点を除去できるからである。
【００４１】
請求項２の階段用踊場部材１によれば、木造建築物の廃材を選別利用するため、同一の樹種、板厚さの廃材を大量かつ有効にリサイクル利用することができる。
【００４２】
請求項３の階段用踊場部材１によれば、特に反りやねじれの発生が少ない階段を得ることができる。
【００４３】
請求項４の階段用踊場部材１によれば、特に表面硬度の高い階段を得ることができる。
【００４４】
以上のごとく、本発明によれば、寸法安定性に優れ、反りやねじれが少なく、高強度で耐久性に優れた階段用踊場部材１を得ることができる。
【図面の簡単な説明】
【図１】本発明の実施例１に係る階段用踊場部材の平面図である。
【図２】本発明の実施例２に係る階段用踊場部材の平面図である。
【図３】本発明の実施例３に係る階段用踊場部材の平面図である。
【図４】本発明において使用される集成材の斜視図である。
【図５】本発明の化粧張り部材の各種模様を示す正面図である。
【図６】本発明の化粧張り部材の他の態様模様を示す正面図である。
【図７】本発明の化粧張り部材の他の態様化粧模様を示す正面図である。
【図８】本発明の集成材の矩形木片の他の配列態様の正面図である。
【図９】本発明で使用される集成材の製造例と従来例の対比を示す斜視図である。
【図１０】従来の回り階段の平面図である。
【図１１】従来の集成材の矩形木片の配列を示す正面図である。
【図１２】従来の集成材の矩形木片の配列を示す正面図である。
【符号の説明】
１　階段用踊場部材
２　集成材
３　化粧張り部材
【図１】
2004090567.tif 000003
【図２】
2004090567.tif 000004
【図３】
2004090567.tif 000005
【図４】
2004090567.tif 000006
【図５】
2004090567.tif 000007
【図６】
2004090567.tif 000008
【図７】
2004090567.tif 000009
【図８】
2004090567.tif 000010
【図９】
2004090567.tif 000011
【図１０】
2004090567.tif 000012
【図１１】
2004090567.tif 000013
【図１２】
2004090567.tif 000014